Podtech/llm-jp-corpus-v4-ja_patent huggingface dataset:
(57)【要約】      （修正有）【課題】従来の携帯電話ホルダーは、フック等によりズボンのベルトに付けるものが多く、またネックストラップ等により首から掛けるものであった。フック等によりズボンのベルトに付けるものは、ベルトの無い服装には使用不可能で、またネックストラップ等は首に吊るすことで各スポーツ時には揺れてしまい、大変邪魔になり不便であった。【解決手段】本発明は、運動用サポーター（リストバンド）やアームバンドと携帯電話収納ケースを一体とし、またホック等により脱着可能とした。また、収納ケースを柔軟性のあるポリエチレン素材やゴム等の素材を使用することでさまざまな大きさの携帯電話をしっかり固定し収納できることによりこの課題を解決する。【選択図】図１
2008259786.tif 000002
【特許請求の範囲】
【請求項１】
携帯電話を収納する携帯電話ケースと運動用サポーター（リストバンド）又アームバンドが一体となっていることが特徴とし腕等に装着する事により携帯電話を携行する。
【請求項２】
携帯電話ケースと運動用サポーター（リストバンド）、アームバンドをホックやボタン又は、止メ金具を用いて脱着可能とすることを特徴としている。
【請求項３】
携帯電話ケースに使用しているポリエチレン素材等の一部及び携帯電話取り出し口等に伸縮性のある素材を使用していることによりさまざまな大きさの携帯電話を収納することを特徴としている携帯電話ホルダー
【発明の詳細な説明】
【技術分野】
【０００１】  本発明は携帯電話収納ケースと運動用サポーター（リストバンド）またはアームバンド等が一体となって使用される携帯電話ホルダーに関する。
【背景技術】
【０００２】  従来の携帯電話ホルダーは、フック等によりズボンのベルトに付けるものやネックストライプ等による首から掛けるものであった。
【発明の開示】
【発明が解決しようとする課題】
【０００３】  しかしフック等でベルトに掛けるものの場合には、ベルト等のない服装の場合には使用することが出来なく、かなり不便であった。また、ネックストラップ等により首から掛けるものの場合には運動等により身体を動かす場合には揺れてしまいかなりの問題があった。また、携帯電話のサイズは各メーカー各機種により異なるため携帯電話ホルダーのサイズも各機種用に用意しなければならなかった。
【課題を解決するための手段】
【０００４】  そこでこの問題を解決するための［請求項  １］の発明は、携帯電話収納ケースとスポーツ等に使用するリストバンドやアームバンドが一体となったことによりベルト等の無い服装やスポーツ等にも携行が可能となる。【０００５】  また、［請求項  ２］の発明は図２で示している１．２．のホック等を使用し携帯電話収納ケース部とリストバンドを脱着可能とすることにより携帯電話収納ケース部は単体で携帯電話ホルダーとして使用でき、リストバンドは従来通り使用することができる。【０００６】  また、［請求項  ３］の発明は図６で示している電話機収納ケース本体を柔軟性のあるポリエチレン素
2008259786.tif 000003
の携帯電話をしっかりと固定し収納することができるようになる。
【発明の効果】
【０００７】  よって本発明の携帯電話ホルダーは腕などに装着することにより、ベルトの無い服装や各スポーツ時にも携行することが可能となった。また、リストバンドと収納ケースを取り外すことでリストバンドは
2008259786.tif 000004
ックストラップとして使用できる。また、収納ケース本体を柔軟性のある素材を使い携帯電話取り出し
2008259786.tif 000005
柔軟性のある素材やゴム等の素材を使用し携帯電話が保護されているため、携帯電話が安全に守られ運動等による携行も安心して利用できる。
【発明を実施するための最良の形態】
【０００８】  本発明の携帯電話ホルダーは、スポーツやレジャーなどに携行できるのが特徴であり、また図２に電話収納ケースにホック等を使用しているがボタンや金具等を使用することも可能で、図６で示した携帯電話収納ケース本体は、柔軟性のあるポリエチレン素材を使用しているが、この素材の厚みは１ｍｍから２ｍｍまでが適している。また、携帯電話取り出し口のゴム等は、伸縮性が高い物が望まれる。それによりさまざまな大きさの機種が、しっかり固定でき収納ができる。また、透過性の素材を使用することで、収納した状態でも携帯電話の液晶画面を確認することができ、これにより着信もより確認できるようになる。また図６Ｑ開口部は携帯電話の底面に当たる所で収納ケースに携帯電話を収納した状態でも、プラグ等の差し込みやメディアの出し入れボタン類の操作を行うことが可能となる。また側面の携帯電話を固定している部分についてもプラグ等の差し込みやメディアの挿入口ボタン類の操作が可能となる位置に配している図７Ｂに示している。
【図面の簡単な説明】
【０００９】
【図１】  本発明に係る携帯電話収納ケースと運動用サポーター（リストバンド）を組合わせた状態の断面図
【図２】  携帯電話収納ケースとリストバンドの脱着の際のホック断面図とその位置を表す
【図３】  携帯電話の取り出し口を示す▲１▼▲２▼▲３▼またそのホックの断面図Ｆ１、Ｆ２
【図４】  携帯電話収納ケースの上部と底部を示す図
【図５】  携帯電話収納ケースの組立てを表した図
【図６】  携帯電話収納ケースの本体を開いた図
【図７】  本発明の運動用サポーター（リストバンド）と収納ケースを装着した、イメージ図とプラグを使用した際のイメージ図
【図８】  大・小の携帯電話を収納した際の断面図と表面図
【符号の説明】
【００１０】
2008259786.tif 000006
Ａ      収納ケースとリストバンドイメージ
Ｂ      収納時プラグ使用イメージ図
Ｑ      プラグ開口部
１      収納ケース側のホック断面図
２      リストバンド側のホック断面図
▲１▼．▲２▼．▲３▼．携帯電話取り出し口を示す
2008259786.tif 000007
【図１】
2008259786.tif 000008
【図２】
2008259786.tif 000009
【図３】
2008259786.tif 000010
【図４】
2008259786.tif 000011
【図５】
2008259786.tif 000012
【図６】
2008259786.tif 000013
【図７】
2008259786.tif 000014
【図８】
2008259786.tif 000015
(57)【要約】      （修正有）【課題】本棚等において隙間のある場合においても、本の収納が手間をかけず任意の位置に安定して行えるようにする。【解決手段】収納スペースＳ内に設けられるものであって、押し込み、かつ、復帰可能に垂直方向に並設される複数の支持片３を備え、収納スペースＳに差し入れられる収納物Ｂに支持片３が収納物Ｂの幅に対応する数において押し込まれ、差し入れられた収納物Ｂを、押し込まれた支持片３の両側に残る支持片３それぞれにより両側から支持することを特徴とする収納物支持装置。【選択図】図３
2008259789.tif 000002
【特許請求の範囲】
【請求項１】
収納スペース内に設けられるものであって、
押し込み、かつ、復帰可能に垂直方向に並設される複数の支持片を備え、
前記収納スペースに差し入れられる収納物に前記支持片が前記収納物の幅に対応する数において押し込まれ、
差し入れられた前記収納物を、押し込まれた前記支持片の両側に残る前記支持片それぞれにより両側から支持する、
ことを特徴とする収納物支持装置。
【発明の詳細な説明】
【技術分野】
【０００１】  この発明は、本棚内等において使用される収納物支持装置に関する。
【背景技術】
【０００２】  本棚に本を立てた状態に収納する場合、隙間のある場合には本の自立が難しくなり倒れてしまうことがある。そこで、従来においては棚面上に仕切り体を適宜配置しそれにより側面を支えるようして本の倒れを防止すようにしている。
【発明の開示】
【発明が解決しようとする課題】
【０００３】  しかしながら、上記のように仕切り体を用いる場合、仕切り体自身が本棚上に置かれるので不安定で、本の支持が安定して行われないとともに本の出し入れも行いにくいという問題点があった。仕切り体が本棚に一体にスライド可能に取り付けられたものも提案されているが、このものでは本の量に合わせてそれをスライド移動させなければならず、持ってきた本をそのまま安定する状態に収納することはできない（登録実用新案第３０７５０４５号参照）。【０００４】  この発明は上記の事情に鑑みて行ったもので、本棚等において隙間のある場合においても、ほんの収納が手間をかけず任意の位置に安定して行えるようにすることを目的とする。
【課題を解決するための手段】
【０００５】この発明では、収納スペース内に設けられるものであって、押し込み、かつ、復帰可能に垂直方向に並設される複数の支持片を備え、前記収納スペースに差し入れられる収納物に前記支持片が前記収納物の幅に対応する数において押し込まれ、差し入れられた前記収納物を、押し込まれた前記支持片の両側に残る前記支持片それぞれにより両側から支持することを特徴とする収納物支持装置を提供する。【０００６】  この発明の構成によれば、収納スペースに差し入れられる収納物に支持片が収納物の幅に対応する数において押し込まれ、差し入れられた収納物は押し込まれた支持片の両側に残る支持片それぞれにより両側から支持される。これにより、収納物は差し込まれた位置に安定収納される。収納物を取り出した際には収納物による押圧が解除されることで支持片それぞれは復帰して元の状態に戻る。【０００７】  この発明の収納物支持装置は、本やブックファイル、さらにはＣＤケース等の立設状態に収納される物品の収納に好適に用いられ、それら物品の収納体である本棚や収納ボックスに取り付けられることにより使用される。
【発明の効果】
【０００８】  この発明によれば、本棚等において隙間のある場合においても、本の収納が手間をかけず所望の位置に安定して行えるようになる。
【発明を実施するための最良の形態】
【０００９】  図１はこの発明の収納物支持装置の実施形態の外観斜視図である。収納支持装置１はプラスチック製の上側部材２に複数のプラスチックス製の支持片３それぞれが、金属棒４を介して吊り下げ状態とされ、垂直方向に取り付けられて構成されている。上側部材２は上面部に３個の取り付け孔９を備えるとともに両端に軸支部５を一体に備え、それら軸支部５に両端がカシメにより軸支固定される金属棒４に、図２に示すように、扁平縦長の同形状の支持片３それぞれが上端の突起部分７において挿通されて回動可能に取り付けられ、その取り付け状態においてそれぞれの支持片３は前面１１それぞれが面一となるように配置されている。なお、図には表れていないが、金属棒４はその途中で突起部分７の間位置において上側部材２に一体の支持部により下方から支持され下方への湾曲が阻止されるようになっている。【００１０】  図３、図４は上記収納物支持装置１の使用状態を示し、上側部材２が本棚２０の天井面２１の奥位置に背面２４に一定の間隔をおいて沿うように取り付けられ、本棚２０の収納スペースＳ内に配置されている。それぞれの支持片３の面一に位置する前面１１それぞれは本棚２０の前面開口２３の上部に相対するように位置し、本Ｂが本棚２０の前面開口２３から差し入れられると、支持片３はその本Ｂに押されて回動して後方に下がる。その押し込まれた状態では、本Ｂの両側は押し込まれずに残る両側の支持片３それぞれにより支持され、これにより本Ｂは倒れることなく立った状態で本棚２０の収納スペースＳ内に安定収納される。【００１１】  上記本Ｂの差し入れに際し、図４に示すように、厚い本Ｂ１が差し入れられる場合はその幅に対応する数の２個の支持片３が押し込まれ、薄い本Ｂ２が差し入れられる場合は１個の支持片３が押し込まれる。このようにして、種々の厚さの本Ｂを同様の差し込み動作により所望の位置に安定的に収納できる。本Ｂを取り出した際には、本Ｂによる押圧が解除されることで支持片３それぞれは自重により回動復帰し、元の状態に戻る。【００１２】上記のように、この収納物支持装置１を本棚２０に使用することで、収納隙間が開く状態においても自由な位置に本Ｂを安定的に収納することが可能となる。また、本Ｂの所望の位置への分離配置も可能となる。なお、上記実施形態のように、収納物支持装置１を本棚２０内の奥方に設けることで目につきにくくすることができ、これにより本棚２０の意匠性が損なわれることも回避される。
【図面の簡単な説明】
【００１３】
【図１】  この発明の収納物支持装置の実施形態の外観斜視図
【図２】  この発明の収納物支持装置の実施形態の要部斜視図
【図３】  この発明の収納物支持装置の実施形態の使用状態における断面図
【図４】  この発明の収納物支持装置の実施形態の使用時の斜視図
【符号の説明】
【００１４】１    収納物支持装置
３    支持片
Ｂ    本（収納物）
Ｓ    収納スペース
【図１】
2008259789.tif 000003
【図２】
2008259789.tif 000004
【図３】
2008259789.tif 000005
【図４】
2008259789.tif 000006
(57)【要約】【課題】光触媒歯ブラシの光作用効果は従来一面的透光部分に限定的であり、口中全体への拡大作用効果はなかった。【解決手段】本体発光部及び替えブラシの材質を透光性材料（透明プラスチック）にし、また替えブラシに透光穴を設けることにより、光触媒作用は歯表面とブラシの接触による抗菌・磨き効果に限定されるものでなく、酸化チタン混合歯磨き剤と光触媒反応で口中内広範囲の清浄効果をもたらすことができる。【選択図】図２
2008259783.tif 000002
【特許請求の範囲】
【請求項１】
歯ブラシ本体にＬＥＤ等の小形発光体を固定し、その本体に着脱自在の透光穴を設けた替えブラシの構成。
【請求項２】
本体発光部分及び替えブラシの材質を透明かつ透光性材質で構成し、可視光発光照明を広範囲（広角度）に発光する構成。
【発明の詳細な説明】
【技術分野】
【０００１】本発明は口腔内浄化作業を行う歯ブラシに関するものである。従来各種光触媒を興起するＬＥＤ照明付歯ブラシは各種あるが、歯周病患者が約８０％といわれる現状からみて、従来の歯ブラシ及び歯磨き方式では口腔内清浄化が極めて不充分であるのが現状である。
【背景技術】
【０００２】従来光触媒技術応用歯ブラシは出願されているが、何れも実用化に到らない企画・構想的なものであった。
【発明の開示】
【発明が解決しようとする課題】
【０００３】本発明は主として可視光反応型酸化物をベースの光触媒作用を実用化する過程において、透光性替えブラシは最も必要とされていることに着目し、ブラシ内の透光性と共に本体発光側との着脱を簡易に行える実用的替えブラシの構成に関するものである。
【課題を解決するための手段】
【０００４】近頃、可視光反応型酸化チタンの開発により、可視光による光触媒が実用化されている。
本発明は、この可視光と反応する酸化物をベースの歯磨き剤を歯のみでなく、口中全体の光触媒作用を行うため、発光を広角度全方位に発光するものである。【０００５】これにより、従来ブラシ接面の歯及びその周辺に歯磨き作用を光触媒の作用として酸化チタンと光の反応の及ぼす口中全域に拡大作用するべく、効果範囲を拡大したものである。
【発明の効果】
【０００６】光触媒の作用は歯表面とブラシの接触による抗菌・磨き効果に限定されるものでなく、酸化チタン混合歯磨き剤と光照射による反応であらゆる口中細菌を抗菌・殺菌・分解・除去する作用・効果をもたらすので、口中内広範囲の光照射は極めて作用・効果を増進させ、磨き時間の短縮にもつながる。【０００７】上記作用を替えブラシにおいても効果を最大発揮するため、替えブラシに透光穴を設けることは必須条件であり、その周辺には替えブラシの透光性材料（透明プラスチック）によって光触媒作用効果を発揮する。【０００８】よって透光穴を設け、かつ透光性材質の替えブラシを更に本体との着脱できる構成としたものである。【０００９】本発明により、光触媒歯ブラシの光作用効果を従来一面的透光部分に限定的であったものを、口中全体へと拡大作用効果を増大したものである。
【図面の簡単な説明】
【００１０】
【図１】本発明の歯ブラシ（ａ）は正面図（ｂ）は側面図である
【図２】本発明の歯ブラシの側面断面図である
【図３】替えブラシの（ａ）は正面図（ｂ）は側面断面図である
【符号の説明】
【００１１】１．本体
２．本体フタ
３．替えブラシ
４．ＬＥＤランプ
５．ＬＥＤカバー
６．スイッチ
７．スイッチカバー
８．電池
９．バネ
１０．Ｏリング
１１．透光穴
【図１】
2008259783.tif 000003
【図２】
2008259783.tif 000004
【図３】
2008259783.tif 000005
(57)【要約】【課題】  従来の避難器具及び避難装置は車椅子利用者にとって、災害時の避難には複数の介護が必要であり又身体的に利用困難なものであった。【解決手段】  車椅子に乗ったままカゴに乗り込み、該カゴが適正速度で降下することにより安全に避難出来る避難装置を提供するものである。【選択図】図２
2008259788.tif 000002
【特許請求の範囲】
【請求項１】
車椅子に乗ったままカゴに乗り、該カゴを避難者の重力により降下し避難することを特徴とする避難装置
【請求項２】
人力の操作のみで複数回利用出来る車椅子対応形避難装置
【発明の詳細な説明】
【技術分野】
【０００１】  本発明は建物における災害時の避難装置に関する
【背景技術】
【０００２】  従来から災害時に人を避難階（多くは地上）に移動する機器として、避難タラップ、折畳み金属梯子、緩降器、すべり台、すべり棒、救助袋等が有り、消防法により、技術基準が定めてあり、有効な働きをしていた。
【特許文献１】  特許公開  ２００２−３４５９８３  特許公開  ２００４−１５９８５６  特許公開  ２００２−３６０７１６
【発明の開示】
【発明が解決しようとしている課題】
【０００３】  体の不自由な人、高齢者、老人等車椅子を移動手段としている人が避難をするにはすべり台、救助袋を利用していたが、これらは車椅子に乗ったまま地上（避難階）に避難することができず、多くの介護者が必要であった。又これらの避難器具を利用して安全に避難する為には、車椅子利用者がある程度体力が必要であり、病院、福祉施設において災害時の避難には多くの課題があった。
【課題を解決するための手段】
【０００４】  本発明は車椅子に乗ったまま、安全に避難出来る、車椅子対応形避難装置である。
【０００５】  又、災害時は商業電力、蓄電池、内燃機関等の動力は使用出来ない場合が多い為、避難時および再避難の為の復帰においても人力のみで行うことが出来る構造の避難装置とした。
【発明の効果】
【０００６】  本発明により、老健施設、病院、リハビリ施設、その他不特定の人が利用する施設において、車椅子利用及びその他多く人の避難を安全で効率的に行うことが出来、多くの人命を救助することが出来る。
【発明を実施する為の最良の形態】
【実施例】
【０００７】    以下、本発明の実施の形態を図１から図３に基づいて説明する。
図１．において
１は避難用のカゴであり、建物の意匠の自由度及び装置のメンテナンスを容易にすると共に劣化、腐食に対し有効な環境のため、建物内に格納されている。
２はカゴを保持する為の、梁であり横方向に移動出来るものである。
災害避難時において６の保持金具が自動又は手動で開放され、２の梁はバランスウエイトの重力により滑車を介し、引く方向を変換することにより、左の方向に移動する。この時７の調速器が働き、ゆっくりと外側（左方向）に移動する。
３はカゴを吊り下げているローラーチエンである。乗り込み時、降下時のカゴの安定のため、カゴ上部４ケ所を吊っている。
４は避難して地上に降下したカゴを再利用する際、人力で元の位置に移動する為に設けてある、バランスウエイトである。
５は降下する際に降下速度を調整する速度調整装置及び再利用の際のチエン駆動装置である。【０００８】図２は災害時に２の梁とカゴを建物の外部に移動し、避難者がカゴに乗り移れる状態の図である。避難者がカゴに乗り移ると、８の保持金具を手動で開放し、１のカゴは降下する。５の調速器により降下速度を調整し、安全に地上へ降下する。【０００９】図３はカゴに避難者が乗り、地上に降下した図である。
カゴの左側から地上に移動して避難が完了する。５の調速器に再利用の為にカゴを上昇さすためのチエンを駆動するギヤと軸を設置しており、４のバランスウエイトの働きで、人力でハンドルを操作することにより、容易にカゴを上昇させ、図２の避難開始位置の状態にすることが出来る。
又迅速に図２の避難開始位置に移動する為、５の調速器に外部動力（電力、内燃機関等）により上昇させる駆動用の軸を設けてある。
【図面の簡単な説明】
【００１０】
【図１】  本発明の装置を建物の内部に格納している面図である。
【図２】  本装置が災害時に使用できる位置まで移動した、図面である。
【図３】  避難者が地上に降下した図面である。
【符号の説明】
【００１１】１    避難用カゴ
２    カゴ及び滑車を支える、横行出来る金属製の梁である
３    カゴを降下、横行する為のローラーチエン又はワイヤーロープである
４    バランスウエイト
５    カゴが降下する時、速度を調整する装置である
６    横行梁保持金具
７    横行梁用速度調整器
８    カゴ保持金具
【図１】
2008259788.tif 000003
【図２】
2008259788.tif 000004
【図３】
2008259788.tif 000005
(57)【要約】【課題】本発明は、大きくて持ち運びのしにくい「マイバスケット」を使いやすくするために、折りたたみ式の取っ手の付いた買い物かごを提供する。【手段】かごを折りたたみ式にする。取っ手を２箇所設けかご状にする。取っ手を一箇所設け折りたたんだ時も持ち運びしやすいようにする。以上よりなる折りたたみ式買い物かごである。【選択図】図１
2008259785.tif 000002
【特許請求の範囲】
【請求項１】
軽量折りたたみコンテナに取っ手を二つ設け、又、折りたたんだときに持ち運びがしやすいように、別の箇所にもう一つ取っ手を設けた買い物かご。
【発明の詳細な説明】
【技術分野】
【０００１】    本発明は、軽量折りたたみコンテナに、取っ手を設けた買い物かごに関するものである。
【背景技術】
【０００２】    現在、大型スーパー等で導入されているエコ活動として、買い物用ビニール袋廃止のための「マイバスケット」が注目されている。スーパーの買い物かごと同サイズで色の違うものを、店側が買い物客に販売し、エコバッグの代わりに使用してもらうという制度である。ビニール袋を使用しないためエコロジーであるし、会計後商品を袋に入れ替える必要がないため時間の節約にもなっている。特に車で買い物をする客にとっては非常に便利であり、使用者も増えてきている。しかし、これまで、「マイバスケット」は店側が用意した規格しか存在していない。
従来、軽量折りたたみコンテナは一般的に使用されている。（特許文献１参照）。
【特許文献１】公開特許広報（Ａ）  特許公開２００１−１８０６６９
【発明の開示】
【発明が解決しようとする課題】
【０００３】  これには次のような問題点があった。
（イ）「マイバスケット」は折りたたみができないため、自宅に持ち帰った時や車に置いておく際、置き場所に困っていた。
（ロ）「マイバスケット」は折りたたみができないため、持ち運ぶ時に大きくて大変である。
（ハ）「マイバスケット」はかごが網状のため、購入した商品が丸見えになってしまう。また食品等の汁がこぼれてしまった際に車や家の中が汚れてしまう。
本発明は、以上の問題点を解決するためになされたものである。
【課題を解決するための手段】
【０００４】  軽量折りたたみコンテナに、二箇所取っ手をつけ買い物かごにする。また、たたんだ時も持ち運びがしやすいように、一箇所取っ手をつける。
本発明は、以上の構成よりなる折りたたみ式買い物かごである。
【発明の効果】
【０００５】    かごを折りたためるため、自宅や車にかごを置いておく際に省スペース化できる。また、一箇所取っ手を付けたため、持ち運びしやすい。
【発明を実施するための最良の形態】
【０００６】    以下、本発明の実施の形態を説明する。
（イ）軽量折りたたみコンテナ（１）の横面上部中央（２）にかごの淵と同じサイズの取っ手（３）を設ける。
（ロ）縦面上部中央（４）に取っ手（５）を設ける。
本発明は以上のような構造で、かごが箱状になっている時は、（イ）の取っ手を持ち、折りたたんだ状態のときは、（ロ）の取っ手を持つ。取っ手は箱の淵にぴったり納まるようになっている。
【図面の簡単な説明】
【０００７】
【図１】本発明の使用状態を示す斜面図
【図２】本発明の折りたたんだ状態を示す斜面図
【符号の説明】
【０００８】（１）軽量折りたたみコンテナ、（２）横面上部中央、（３）取っ手、（４）縦面上部中央、（５）取っ手
【図１】
2008259785.tif 000003
【図２】
2008259785.tif 000004
(57)【要約】【課題】  防音吸収ショーツを使用することにより、家庭内はもとより外出、電車内会議場、パーティ又は他人の家に遊びに行く、様々な場面にて気に病まず快適に暮らすことが出来ると思われます。【解決手段】  防音ショーツ１１は、本体であり防音シート、悪臭吸収シートを複合サンドイッチに数枚重ね合わせ成型し作用する。１３はショーツ中央部、二股部、音出悪臭出口の面に人体にさわりなく盛り上げた部分。１６は１１本体と一体に取り付け人体より落下する事のない装備。【選択図】図１
2008259790.tif 000002
【特許請求の範囲】
【請求項１】
防音シートと悪臭吸収シートを複数サンドイッチに成型し、表面は布製にする。防音シートと悪臭吸収シートは一体であるが、音出口と悪臭出口二股部に盛り上がりとする。又、全体はもとより上下部は、伸縮製構造にて落下止めにすることを特徴とする。
【発明の詳細な説明】
【発明の詳細なる説明】
【技術分野】
【００１】  本発明は、男女問わず防音と悪臭を取り除くショーツ構造に関する。
【背景技術】
【００２】  人体をスリムに見せる為のショーツ又は、老人用廃棄物収納する構造と様々な物が提案されている。
【発明が解決しようとする課題】
【００３】  人体には男女問わず、多少のガスが体内より放出する。そのガスが放出する時、音と悪臭も互いに放出する。人体には良いが時と所かまわず放出することも有り、葬式の場、電車の中又パーティ、他人の家、大衆の場又家庭内にても都合の悪い物である。他人に至っては不愉快なもので、その為次のような課題が有り未だ改良の余地を残している。
【課題を解決するための手段】
【００４】  前記目的の達成課題を達成するため、本発明に係わる防音ガス吸収ショーツには人体より放出する音を防止し、ガス臭いにおいを吸収することにより家庭においても又、外出にても安心して快適に暮らせる。
【作用】
【００５】  防音ショーツは人体に直接使用する物で、出来る限り薄く数枚重ね合わせ、サンドイッチ用とし両面は布地で仕上げ全面が伸縮の有るよう又、複雑な構造は使用時に老人や体の不自由な人には望ましくない。
【実施例】
【００６】  以下添付図面に基づいて本発明の実施例を説明する。
図面の記号１１〜１６迄は一体で人体用ショーツ例を示すものである。
１１は人体用ショーツ本体である。１２は防音材、１３は人体ガス廃棄口に出来るだけ近づけて盛り上がりとする。１４は悪臭を出来るだけ外部に放出しないよう吸収材、１５は布製で人体に害のない素材とする。１６も布製であり人体に密着しやすく布ゴム合成のものとすることにより、落下を止めることが出来る。【００７】  以上説明したように、本発明に係わる防音ショーツは自宅内はもとより外出の時、電車内や他人の家に遊びに行く又会議の場、パーティなど人と接触する場、様々な場面にても体内の自然現象においてガスが所かまわず放出する場面がある。特に老人の方々は、我慢出来ずらくなります。そんなとき又、毎日の暮らしにも防音式ショーツを使用されることにより何時も気に病まず快適に外出暮らすことが出来るものと思われます。
【図面の簡単な説明】
【図１】  本発明に係わる防音ショーツの一例を示す斜視図である。
【図２】  本発明に係わる防音ショーツの中央一部断面図である。。
【符号の説明】
１１．ショーツ本体。
１２．防音材。
１３．廃棄口のみ盛り上がり。
１４．悪臭防止複合材。
１５．布材。
１６．布ゴム複合材。
【図１】
2008259790.tif 000003
【図２】
2008259790.tif 000004
(57)【要約】【課題】  机の上でうつ伏せに寝るときの習性（腕枕）を活用した枕で、腕に血行不良が掛からないように、また、収納、持ち運びが容易なコンパクトサイズの机上用仮眠枕を提供する。【解決手段】  基台の上面にクッション体を載せて表面をカバーで被覆して枕部とし、ロの字形状からなる枠体を支脚とし、支脚は底部を有し、支脚の上軸の中央に湾曲させたロック部を設け、基台の両側に蝶番を介して、支脚を対向させて各支脚は半回転自在になるように設け、このとき上軸にあるロック部は両側を蝶番で挟む。以上を特徴とする机上用仮眠枕。【選択図】図１
2008259787.tif 000002
【特許請求の範囲】
【請求項１】
平板からなる基台の上面にクッション体を載せて枕部とし、基台の下面にロの字形状からなる枠体を支脚とし、支脚は底部を有し、支脚の上軸の中央に湾曲させたロック部を設け、基台の裏面の両側に蝶番を介して、支脚を対向させて各支脚は半回転自在になるように設け、このとき上軸にあるロック部は両側を蝶番で挟む、以上を特徴とする机上用仮眠枕。
【発明の詳細な説明】
【技術分野】
【０００１】  本発明は、机の上で、うつ伏せで寝るときの習性（腕枕）を活用した枕で、腕に血行不良が掛からないように、また、収納、持ち運びが容易なコンパクトサイズの机上用仮眠枕に関するものである。
【背景技術】
【０００２】  従来、職場や学校で、机上で仮眠する時は、多くの場合腕を交差させながら、その両腕に頭を乗せる状態の腕枕をしているのが現状である。また、近くにあるバックや衣類を丸めたりして、枕の代用としている。
【発明の開示】
【発明が解決しようとする課題】
【０００３】    そのために、次のような問題点があった。
（イ）腕枕の場合、頭の重さで腕の血行が不良になり手が痺れる。
（ロ）腕枕をするとき、洋服の皺や柄が凹凸の形状となって、顔に判を押した跡形が付いて見苦しい。
（ハ）通常の枕を使用したときは、枕が大きすぎて顔をうつ伏せると窒息するため、横向きにすると首に負担が掛かり痛むことがある。
（ニ）通常の枕は、職場や学校で使用するには大きすぎて持ち運びや収納が不便である。
（ホ）化粧をしていると、顔の化粧剤が衣類などに付着して汚れて化粧も崩れやすい。
本発明は以上の問題点を解決しようとするものである。
【課題を解決するための手段】
【０００４】  平板からなる基台の上面にクッション体を載せて枕部とする。基台の下面にロの字形状からなる枠体を支脚とし、支脚は底部を有し、支脚の上軸の中央に湾曲させたロック部を設ける。基台の裏面の両側に蝶番を介して支脚を対向させて各支脚は半回転自在になるように設ける。このとき上軸にあるロック部は両側を蝶番で挟まれる。以上を特徴とするコンパクトな机上用仮眠枕である。
【発明の効果】
【０００５】  本発明は、頭を腕に直接乗せないために頭の重量が掛からないため、手が痺れない。本体がコンパクトのため、通勤、通学に持ち運びが容易にできて、収納にも便利である。顔に当たる面積が少ないために化粧崩れが軽減する。本発明を使用してうつ伏せになったとき、容易に息が出来る。本発明の枕部の表面に凹凸がないので顔に跡形が残らない。
【発明を実施するための最良の形態】
【０００６】以下、本発明の実施の形態を説明する。
（イ）方形の平板状からなる基台（５）の上面に低反発発泡材またはスポンジ材、ウレタンフォーム等からなるクッション体（４）を載せ、表面をカバー（８）で被覆し、枕部（１）とする。
（ロ）基台（５）の下面に設ける支脚（２）は、ロの字形状からなる枠体とし、支脚（２）は低部（３）を有し、支脚（２）の上軸の中央に上方へ湾曲させたロック部（７）を設ける。
（ハ）基台（５）の裏面の両側に蝶番（６）を介して、支脚（２）を対向させて各支脚（２）は半回転自在になるように設ける。このとき、上軸にあるロック部（７）は蝶番（６）で挟まれる。
本発明は、以上の構成よりなっている。
本発明を使用するときは、支脚（２）を基台（５）の裏側に折りたたんで閉じることにより、コンパクトになるので、カバンに入れて、また、手に持って携帯できる。机上で使用するときは、支脚（２）を開いて机上に立てることにより枕となる対向する支脚（２）の橋脚の間に腕を差し込むことにより、本体が安定し、枕部（１）に頭を載せて睡眠できる。ロック部（７）は湾曲しているために基台（５）の裏面に接して支脚（２）を固定できる。
【実施例１】
【０００７】  また、本発明は、図９に示すように、支脚（２）をロの字形状にせず、片側だけの支脚（２）にして、取り付け位置を図９、図１０のように、支脚（２）が対角になるように取り付けることも可能である。支脚（２）が２本になる事によって、より腕の通りが良くなる。
【実施例２】
【０００８】  また、図１１、図１２に示すように、支脚（２）をロの字形状にせず、片側だけの支脚（２）にして、取り付け位置を一方方向に付けることも可能である。支脚（２）が片側なる事によって腕が自由になる。
【実施例３】
【０００９】  また、図１３、図１４に示すように、支脚（２）をロの字形状せず、低部（３）を付けずに、支脚を４本にする事も可能である。
【図面の簡単な説明】
【００１０】
【図１】本発明の斜視図
【図２】本発明の正面図
【図３】本発明の側面図
【図４】本発明の裏面図
【図５】本発明の側面図
【図６】本発明の使用状態を示す正面図
【図７】本発明の使用状態を示す側面図
【図８】本発明の使用状態を示す斜視図
【図９】本発明の他の実施例を示す斜視図
【図１０】本発明の他の実施例を示す裏面図
【図１１】本発明の他の実施例を示す斜視図
【図１２】本発明の他の実施例を示す裏面図
【図１３】本発明の他の実施例を示す斜視図
【図１４】本発明の他の実施例を示す裏面図
【符号の説明】
【００１１】    １  枕部
２  支脚
３  底部
４  クッション体
５  基台
６  蝶番
７  ロック部
８  カバー
【図１】
2008259787.tif 000003
【図２】
2008259787.tif 000004
【図３】
2008259787.tif 000005
【図４】
2008259787.tif 000006
【図５】
2008259787.tif 000007
【図６】
2008259787.tif 000008
【図７】
2008259787.tif 000009
【図８】
2008259787.tif 000010
【図９】
2008259787.tif 000011
【図１０】
2008259787.tif 000012
【図１１】
2008259787.tif 000013
【図１２】
2008259787.tif 000014
【図１３】
2008259787.tif 000015
【図１４】
2008259787.tif 000016
(57)【要約】【課題】洗濯バサミが多く取り付けられた従来の一般的な洗濯物干しの構造では、洗濯物を取り付ける際、洗濯物の重さの偏りのバランスを調整しながらに狭いところにいろいろな種類の洗濯物を取り付けなければならず、次の問題が生じ扱いにくい。・重さの偏りや洗濯物同士が引っかかり洗濯物干しが不安定に動きまわるため扱いにくい。・先に取り付けた洗濯物が邪魔になる。【解決手段】洗濯物干しを物干し竿に安定した状態で取り付けることができる様に、洗濯物干しの枠構造の中心から意図的にずらせた２箇所に鉤状の構造を追加する。洗濯物を洗濯物干しに取り付ける時は、洗濯バサミのある下面が安定した状態で手前を向くように物干竿にぶらさげて下の方から順に洗濯物を取り付ける。これにより先に取り付けた洗濯物がまだ使用されていない洗濯バサミの邪魔をすることがなくなり、さらに先に取り付けた洗濯物の重さが洗濯物干の安定を助長する。【選択図】図２
2008259729.tif 000002
【特許請求の範囲】
【請求項１】
多くの洗濯バサミを使用している一般的な洗濯物干しに衣類等の干し物を取り付ける際、洗濯物干しの洗濯バサミの付けられている
下面を一定方向にむけて、物干竿から安定した状態でぶら下げることができるように、洗濯物干しのぶら下げ支持箇所を意図的に重心からずらした
２ケ所とする構造。
【発明の詳細な説明】
【技術分野】
【０００１】
本発明は、従来の洗濯バサミを多数ぶらさげている一般的な洗濯物干しの構造に工夫を加えることである。
【背景技術】
【０００２】
洗濯物干しの構造は軽量である程度の強度が保たれている枠構造にいろいろな形状の洗濯物の着脱ができるように、枠構造の下面に多数の
洗濯バサミが下向きにぶら下げられており、上面は枠構造全体を保持できるように紐や耐腐蝕性の鎖等を介してひとつの鉤につなぎ、
その鉤を物干竿にかけて使用する仕組みになっている。
【特許文献１】特許公開２００６−１１０２９４
【発明の開示】
【発明が解決しようとする課題】
【０００３】
洗濯物干しに洗濯物を取りつける際、作業者は洗濯物の重さを考慮して全体のバランスをとりながら、
不安定に動きまわる洗濯物干しの位置を片手で支えながら次の洗濯物を取り付ける動作をおこなっている。
この状態で洗濯物干しの性質上、狭い範囲に沢山の洗濯物を取り付けようとすると、先に取り付けた洗濯物が邪魔になり扱いにくい。
【課題を解決するための手段】
【０００４】
本発明は、従来の一般的な洗濯物干しの重心からずれた枠構造部分を物干し竿に直接ぶら下げることができるように２ケ所以上の鉤状の
構造を（ここでは片側ぶらさげ鉤と表現する）ある程度間隔をあけて付加することにより。
洗濯物を取り付けるときは、その鉤構造を直接物干竿にかけて洗濯物干しの下面を安定的に手前の方向に向けた状態で洗濯バサミに洗濯物の
取り付けが出来るようにするものである。
【発明の効果】
【０００５】
枠構造の片側の２ケ所の鉤部分を物干竿に直接かけることにより、洗濯物干しの洗濯バサミの付けられている下面を手前方向に向けて
安定させることができる。
この状態で下のほうから順序よく洗濯物を取り付けてゆけば先に取り付られた洗濯物が後続の取り付け作業の邪魔になることは無い。
また両手が自由になるため洗濯バサミに挟みこむ際にＴシャツやハンカチ等の面積のある布地のしわを伸ばす作業が容易になり洗濯物
を取り付ける作業を効率的に行なえるし、片手の不自由な場合でも取扱いが容易である。
【発明を実施するための最良の形態】
【０００６】
本発明による２ヶ所の鉤部分を洗濯物干し下面が手前を向くように物干し竿にる掛ける。
【実施例１】
【０００７】
洗濯物を洗濯物干しに取り付ける際は下の洗濯バサミから順次上に向かって洗濯物をつける、これにより洗濯物がまだ使用されていない洗濯バサミが先に付けた洗濯物に邪魔されることが
無く、また先に付けた洗濯物の重さが洗濯もの干しを安定させる効果を得ることができる。
洗濯物の取り付けが終わったら片側ぶらさげ鉤による片側のぶらさげをやめて通常の中央上面の鉤を使用した従来通りのぶらさげ状態にする。
【図面の簡単な説明】
【０００８】
【図１】四角枠構造の洗濯物干しを例に鉤構造を付加した略図である。
【図２】物干し竿に鉤構造を使用してぶら下げた使用例の略図である。            片側ぶら下げ鉤を使用した状態で正面方向やや斜めからみた様子（左）、と側面から見た状態（右）（実施例１）
【図１】
2008259729.tif 000003
【図２】
2008259729.tif 000004
(57)【要約】【課題】  生理用タンポンを使用するとき、入浴又は水泳時等に体外水分の流入を防止、又尿・月経血等が、取り出し紐に付着するのを防止するように、生理用タンポンの一端に、撥水加工を施した取り出し紐を設けた、防水紐つき生理用タンポンを提供する。【解決手段】  生理用タンポン（１）の一端に撥水加工を施した取り出し紐（２）を設けた、防水紐つき生理用タンポンを特徴とする。【選択図】図１
2008259796.tif 000002
【特許請求の範囲】
【請求項１】
生理用タンポン（１）の一端に、撥水加工を施した取り出し紐（２）を設けた防水紐つき生理用タンポン。
【発明の詳細な説明】
【技術分野】
【０００１】  この発明は、生理用タンポンの一端に、撥水加工を施した取り出し紐を設けたことを特徴とする、生理用タンポンに関するものである。
【背景技術】
【０００２】  従来、生理用タンポンの取り出し紐は、防水加工が成されていなかった。
【発明の開示】
【発明が解決しようとする課題】
【０００３】  これは、次のような欠点があった。
（イ）従来、生理用タンポン使用時に入浴・水泳等を行うと、取り出し紐が体外の水分を吸水し、体内のタンポンに体外水分が到達してしまい困る事が多かった。
（ロ）生理用タンポン使用時に、取り出し紐が尿・ナプキンに付着した月経血に接触して、不快感があった。
本発明は、以上のような欠点を無くす為に成されたものである。
【課題を解決するための手段】
【０００４】  生理用タンポン（１）の一端に、撥水加工を施した取り出し紐（２）を設ける。
本発明は、以上の構成より成る、防水紐つきを特徴とした生理用タンポンである。
【発明の効果】
【０００５】  取り出し紐が防水になっている為、浴槽・プール等の水分の逆流や、尿・既に排出された月経血等が付着しにくいので、月経時に於いてこのタンポンを使用すれば快適である。
【発明を実施するための最良の形態】
【０００６】  以下、本発明を実施するための最良の形態について説明する。
生理用タンポン（１）の一端に、撥水加工を施した取り出し紐（２）を固定する。
本発明は以上のような構造である。
これを使用するときは、撥水加工した取り出し紐が体外に出るように、装着すれば良い。
【図面の簡単な説明】
【０００７】
【図１】本発明の平面図である。
【符号の説明】
【０００８】１．    タンポン
２．    取り出し紐
【図１】
2008259796.tif 000003
(57)【要約】【課題】    立体アイロン台のパッドの取付け、取外し作業が初心者でも簡単容易、かつ迅速にでき、馴染ませ運転が不要で、シワ・形崩れの無い良好な仕上げができるようにすることにある。【解決手段】    立体アイロン台のパッドは、金属板製の立体アイロン台枠１０の表面に成形しやすいフェルト１・３、不織布２・４、編織布５等を２重以上被覆するように構成し、側面部を紐６、ジッパー等で容易に開閉して、迅速に着替えできるようにしたことを特徴とする。【選択図】図１
2008259792.tif 000002
【特許請求の範囲】
【請求項１】
金属板製の立体アイロン台枠の表面に成形しやすいフェルト、不織布、編織布等を２重以上に被覆するように構成し、側面部を紐・ジッパー等で容易に開閉して、迅速に着替えできるようにしたことを特徴とする立体アイロン台のパッド。
【発明の詳細な説明】
【技術の分野】
【０００１】  本発明は、衣服プレス仕上げ機用立体アイロン台のパッドに関する。
【技術背景】
【０００２】  従来、この種のパッドは、立体アイロン台枠の前面と後面に、わた状繊維を当てて、その肩部及び両脇部を縫い糸で手縫い付けしたのち、わた状繊維の全面に水を霧吹きし、前後一対の加熱板で７〜８回プレスして馴染ませていたが、馴染みに従い、縫着している縫い糸がゆるむため、縫い糸を締め直し、さらに、霧吹きとプレスを繰り返して馴染ませていた。しかしながら、この作業は経験者を必要とし、プレスによる馴染み運転と、縫い糸の締め直しを繰り返すため、作業時間が長く、この種作業の費用が高くつく上、熱損失が大きく、火傷等の危険が伴うものであった。
【発明の開示】
【発明が解決しようとする課題】
【０００３】  上述の如く、従来技術に係るこの種のパッドは、経験者の技術、作業を必要とし、プレスにより馴染ませ、充分安定した状態にさせた場合にのみ良好なプレス仕上げを可能にしており、さらに作業時間を短くし、コストダウンを計れていないのが現状である。【０００４】  本発明は、このような点に鑑みて成されたものであり、その目的は、パッドの取付け、取外し作業が初心者でも簡単容易、かつ迅速にでき、馴染ませ運転が不要で、シワ・形崩れの無い良好な仕上げができるようにすることにある。
【課題を解決するための手段】
【０００５】  上述の目的を達成する本発明の立体アイロン台のパッドは、金属板製の立体アイロン台枠の表面に成形しやすいフェルト、不織布、編織布等を２重以上被覆するように構成し、側面部を紐、ジッパー等で容易に開閉して、迅速に着替えできるようにしたことを特徴とする。
【発明の効果】
【０００６】  以上説明したように本発明によれば、パッドの取替が簡単容易になり、手縫い付け作業、馴染ませ運転等が不要で、火傷等の危険がなくなり、作業時間も大巾に短縮できると共に、これらの作業に熟練した技術者を必要とせず、初心者でも安全に作業ができるようになった。また、台枠の表面に安定した状態でパッドが成形されているため、シワ・形崩れの無い良好なプレス仕上げができ、大巾なコストダウンを計ることが可能になった。
【発明を実施するための最良の形態】
【０００７】  以下、本発明を実施するための最良の形態について説明する。金属板製の立体アイロン台枠１０の表面前側に吸水性不織布２、通気性フェルト１を設け、台枠１０の表面後側に編織布５、不織布４、耐熱性フェルト３を被覆して、１と３の側面部に縫着した紐６を結んで取付け固定する。以上のような構造のものは立体アイロン台がバキュームして衣服をセットする機能を有するタイプのプレス仕上機に好適であると共にこのパッドを使用すると初心者でも簡単容易に取付けができ、馴染ませ運転不要で、衣服のプレス仕上げが良好である。【０００８】  立体アイロン台枠１０の表面前側に弾力性ポリアミド繊維フェルト、基布入りフェルトを設け、台枠１０の表面後側に難通気性ポリエステル繊維不織布、耐摩耗性フェルトを被覆するようにして、その右側面に縫着したマジックテープで閉めて、左側面に縫着した紐を結んで固定する。以上のような構造であるものは衣服をバキュームしてセットする機能を有するタイプのプレス仕上機に適していると共にこのパッドを使用すると容易に取付けができ、馴染ませ運転不要で、良好なプレス仕上げが可能である。立体アイロン台のパッドを構成する材質は無機、有機化学繊維、天然繊維、それらの混合繊維等、成形しやすい構成体として適当な任意の材質のものを用いる。【０００９】立体アイロン台枠１０の表面前側に耐熱性混紡フェルト２枚を重ねて設け、台枠１０の表面後側に耐熱性混紡フェルトを２重に被覆するようにして、その左右側面に縫着したジッパーを閉めて固定する。以上のような構造であるものは、衣服をバキュームでセットしないタイプのプレス仕上機に適していると共にこのパッドを使用すると容易に取付けができ、馴染ませ運転不要で、良好なプレス仕上げが可能である。【００１０】  以上、本発明の実施の形態及び実施例を説明したが、本発明の範囲はこれに限定されるものではない。例えば、プレス仕上げの用途もワイシャツ用、コート、作業衣、白衣、看護衣用等に限定されるものではなく、形状、大きさも任意に選定することができる。またパッドを構成する材質の繊維に撥水、吸水、染色等の加工をすることは、状況に応じて適宜選択されるものである。
【産業上の利用可能性】
【００１１】  本発明は衣服の仕上げとして有用な立体プレス仕上機を製造、販売、使用する産業分野で利用することができる。
【図面の簡単な説明】
【００１２】
【図１】  本発明の第１の実施の形態に係る立体アイロン台のパッドの外観斜視図である。
【符号の説明】
１０    立体アイロン台枠
１      通気性フェルト
２      吸水性不織布
３      耐熱性フェルト
４      不織布
５      編織布
６      紐
【図１】
2008259792.tif 000003
(57)【要約】【課題】携帯電話の充電器やノートパソコンのアダプターなどを、充電しながら収納、テーブル上の作業の電源もまかなえる引き出しを提供する。【解決手段】木製リビングテーブルの側面にタップ付の引き出しを取り付けることにより、携帯電話やデジカメなどを充電しながら収納でき、テーブル上で電源を必要とするノートパソコンのアダプターなどもタップにさしたまま使用、収納できる機能、収納、引き出し。【選択図】図１
2008259794.tif 000002
【特許請求の範囲】
【請求項１】
上面を開口した函状の引き出しの前板の内側にテーブルタップを設け、側板に複数の小穴を貫通して設け、テーブルタップの下方の底板に電気コードを貫通させる開口部を設け、背板に接する側板に開口部を設け、側面の上部外側にスライドレールを設け、以上よりなる引き出しをテーブルの天板の下面に出し入れ自在とする引出し付き収納テーブル。
【発明の詳細な説明】
【技術分野】
【０００１】    本発明は食卓、リビングのテーブルに充電機能や収納性をもたせた、引出し付き収納テーブルに関するものである。
【背景技術】
【０００２】    従来の食卓やリビングのテーブルで天板の下面に浅い引き出しを備えているものはあるが、引き出しの内部に電気機器類を収納できる機構になっていない。
【発明の開示】
【発明が解決しようとする課題】
【０００３】  そのために次のような問題点があった。
（イ）  テーブルの上に、ノートパソコンや充電中の携帯電話などの電気機器類を常時          置いているために、テーブルの上の作業スペースがいつも狭くなる
（ロ）  テーブルの上や周辺に数々の電気機器類をおくために、テーブルの上や周辺が          散乱し、整理整頓が困難であった。
本発明は以上の問題点を解決しようとするものである。
【課題を解決するための手段】
【０００４】    食卓やテーブルの下面に設置する引き出しの側面に複数の小穴を貫通させ、内部に収  納された携帯電話の音を外部で聞きやすくする。引き出しの側板と底板の一部に開口部  を設け、電気コードを通す。前板にテーブルタップを設ける。
本発明は以上よりなる。
【発明の効果】  本発明は、家族が集まりいろいろな用途に使われる食卓、リビングテーブルに、電源機能付引き出しを付け加えることにより、身近に物を置けるスペースを増やし、すっきりと使い易くするものである。
【発明を実施するための最良の形態】
【０００６】以下本発明の実施の形態を説明する。
（イ）  上面を開口した函状の引き出し（１）は金属の底板（４）の周囲を木製からな          る前板（２）と金属よりなる側板（３）、背板（５）により形成する。
（ロ）  前板（２）の内側にテーブルタップ（６）を設ける。
（ハ）  両側の側板（３）に複数の小穴（７）を貫通して設ける。
（ニ）  テーブルタップ（６）の下方の底板（４）に電気コードを貫通させる開口部（          ８ａ）を設け、背板（５）に接する側板（３）に開口部（８ｂ）を設ける。
（ホ）  側板（３）の上部外側にスライドレール（９）を設け、テーブル（１２）の天          板（１３）の下面に引き出し（１）を設置する。
本発明は以上の構成よりなっている。
本発明を使用するときは、引き出し（１）を開け、電源を必要とし、収納しておきたい携帯電話やデジカメなどの充電器、パソコンのアダプターなどをテーブルタップ（６）に差したまま、収納して置き、必要に応じ充電する。このとき携帯電話の呼び出し音は、引き出しを閉めていても両側板の小穴（７）から聞こえるが、引き出しを天板より４ｍｍ下げて取り付けるため、そこからコードを出して、充電器をテーブルの上に置いて充電することも可能である。テーブルの上で電源を必要とする作業を行う場合、（８ｂ）よりプラグを引き込み、引き出し（１）に入れ、コンセント（１０）を差し、引き出しを閉めたまま、作業を行える。またテーブルタップ（６）に差したまま収納しているパソコンのアダプターなどは、開口部（８ｂ）よりパソコンと接続するプラグを取り出し、脱着出し、使うことができる。引き出しは開口部（８ｂ）の手前で止まりコードが挟まることはない。電気を使わない時はスイッチ（１１）を切っておく。
【図面の簡単な説明】
【０００７】
【図１】本発明の斜視図
【図２】本発明の使用状態を示す斜視図
【符号の説明】
【０００８】  １    引き出し
２    前板
３    側板
４    底板
５    背板
６    テーブルタップ
７    小穴
８ａ  開口部
８ｂ  開口部
９  スライドレール
１０  コンセント
１１  スイッチ
１２  テーブル
１３  天板
【図１】
2008259794.tif 000003
【図２】
2008259794.tif 000004